(57)【特許請求の範囲】
【請求項１】
撮影空間において利用者を被写体として撮影し、得られた撮影画像に対して利用者に編集入力を行わせ、前記撮影画像を所定のシール紙に印刷するとともに、前記撮影画像を通信ネットワークを介して接続されている携帯端末へ送信する写真シール作成装置であって、
前記利用者を含む画像を取り込み、前記利用者を撮影する取り込み手段と、
前記取り込み手段により取り込まれた取り込み画像の背景領域として、前記撮影空間の背面、側面、および床面の３面を抜き出す抜き出し手段と、
前記撮影空間の背面、側面、および床面の３面が交わる交点を検知する検知手段と、
前記撮影空間における背面、側面、および床面のうちの２面が交わる交線を模した線分を含む背景画像を生成する生成手段と、
前記検知手段により検知された前記交点と、前記生成手段により生成された前記背景画像に含まれる前記交線とに基づいて、前記抜き出し手段により前記背景領域が抜き出された前記取り込み画像に前記背景画像を合成する合成手段と
を備える写真シール作成装置。
【請求項２】
前記抜き出し手段は、前記撮影空間の背面、側面、および床面それぞれの色範囲に応じたパラメータを用いて、前記背景領域を抜き出し、
前記検知手段は、前記撮影空間の背面、側面、および床面それぞれの色を示す値の境界に基づいて、前記交点を検知する
請求項１に記載の写真シール作成装置。
【請求項３】
前記抜き出し手段は、前記撮影空間の背面、側面、および床面全ての色範囲に応じたパラメータを用いて、前記背景領域を抜き出し、
前記検知手段は、前記撮影空間の背面、側面、および床面の色を示す値と所定の閾値とに基づいて、前記交点を検知する
請求項１に記載の写真シール作成装置。
【請求項４】
前記生成手段は、前記撮影空間の背面、側面、および床面の前記色を示す値を用いて前記背景画像を生成する
請求項３に記載の写真シール作成装置。
【請求項５】
前記検知手段が前記色を示す値に基づいて前記交点を検知可能とするように、前記撮影空間内の照明を制御する照明制御手段をさらに備える
請求項３に記載の写真シール作成装置。
【請求項６】
前記撮影空間の背面、側面、および床面には、クロマキー用シートが貼付され、
前記抜き出し手段は、クロマキー処理を施すことにより、前記取り込み画像の前記背景領域を抜き出す
請求項１乃至５のいずれかに記載の写真シール作成装置。
【請求項７】
前記撮影空間の背面、側面、および床面のうちの２面が交わる交線近傍には、前記クロマキー用シートが貼付されない
請求項６に記載の写真シール作成装置。
【請求項８】
前記撮影空間の背面、側面、および床面に貼付される前記クロマキー用シートは、それぞれ異なる材質で構成される
請求項６に記載の写真シール作成装置。
【請求項９】
前記被写体は、前記被写体からみて前方斜め上から撮影される
請求項１に記載の写真シール作成装置。
【請求項１０】
前記撮影空間の床面には、背面に近いほど高くなるように設置面に対する傾斜が設けられる
請求項１に記載の写真シール作成装置。
【請求項１１】
撮影空間において利用者を被写体として撮影し、得られた撮影画像に対して利用者に編集入力を行わせ、前記撮影画像を所定のシール紙に印刷するとともに、前記撮影画像を通信ネットワークを介して接続されている携帯端末へ送信する写真シール作成装置の写真シール作成方法であって、
前記利用者を含む画像を取り込み、前記利用者を撮影する取り込み手段により取り込まれた取り込み画像の背景領域として、前記撮影空間の背面、側面、および床面の３面を抜き出す抜き出しステップと、
前記撮影空間における背面、側面、および床面の３面が交わる交点を検知する検知ステップと、
前記撮影空間における背面、側面、および床面のうちの２面が交わる交線を模した線分を含む背景画像を生成する生成ステップと、
前記検知ステップの処理により検知された前記交点と、前記生成ステップの処理により生成された前記背景画像に含まれる前記交線とに基づいて、前記抜き出しステップの処理により前記背景領域が抜き出された前記取り込み画像に前記背景画像を合成する合成ステップと
を含む写真シール作成方法。
【請求項１２】
撮影空間において利用者を被写体として撮影し、得られた撮影画像に対して利用者に編集入力を行わせ、前記撮影画像を所定のシール紙に印刷するとともに、前記撮影画像を通信ネットワークを介して接続されている携帯端末へ送信する処理をコンピュータに実行させるプログラムであって、
前記利用者を含む画像を取り込み、前記利用者を撮影する取り込み手段により取り込まれた取り込み画像の背景領域として、前記撮影空間の背面、側面、および床面の３面を抜き出す抜き出しステップと、
前記撮影空間における背面、側面、および床面の３面が交わる交点を検知する検知ステップと、
前記撮影空間における背面、側面、および床面のうちの２面が交わる交線を模した線分を含む背景画像を生成する生成ステップと、
前記検知ステップの処理により検知された前記交点と、前記生成ステップの処理により生成された前記背景画像に含まれる前記交線とに基づいて、前記抜き出しステップの処理により前記背景領域が抜き出された前記取り込み画像に前記背景画像を合成する合成ステップと
を含む処理をコンピュータに実行させるプログラム。
【発明の詳細な説明】
【技術分野】
【０００１】
本発明は、写真シール作成装置および方法、並びにプログラムに関し、特に、利用者にとってより満足度の高い画像を提供することができるようにする写真シール作成装置および方法、並びにプログラムに関する。
【背景技術】
【０００２】
利用者を撮影し、撮影画像に対して利用者に編集を行わせ、編集後の画像をシール紙に印刷して提供する写真シール機が知られている。このような写真シール機は娯楽（遊戯）施設等に設置される。
【０００３】
写真シール機によって提供される１ゲームの流れは、通常、撮影空間内にいる利用者を被写体として撮影し、利用者を編集空間に移動させ、編集空間内で行われる操作に従って画像を編集し、編集後の画像である編集済み画像をシール紙に印刷して排出するという流れになる。
【０００４】
近年は、編集作業後、編集済み画像がシール紙に印刷されるまでの待ち時間に行われる事後接客において、シール紙に印刷される撮影画像や編集済み画像をサーバに送信・保存し、利用者が所有する携帯端末からそのサーバにアクセスし、保存された画像を取得することで、利用者は、携帯端末上で、撮影画像や編集済み画像を利用することができるようになっている。具体的には、利用者は、取得した画像を、携帯端末からウェブ上で管理されているブログ（Blog：web log）にアップロードすることで、その画像を不特定多数の人に公開するなどすることができる。
【０００５】
また、近年は、デジタルカメラやカメラ機能付きの携帯電話機等の携帯端末で利用者自身を撮影した画像を、利用者の日々の服装（ファッション）やその組み合わせ（コーディネート）を記録するための画像（以下、コーデ画像という）として、自身のブログにアップロードする利用者が増加している。
【０００６】
しかしながら、利用者が、例えば、カメラ機能付きの携帯端末で利用者自身を撮影して全身のコーデ画像を得るには、携帯端末を持った手を伸ばして頭上から撮影しなければならず、頭からつま先までが写った全身画像を得るのは難しかった。
【０００７】
ところで、被写体の全身画像と、被写体の顔をトリミングして拡大した拡大顔画像とを合成した合成画像を得るようにした写真シール機がある（例えば、特許文献１参照）。この写真シール機によれば、全身のコーデ画像を得ることができる。
【０００８】
さらに、利用者を腰掛けに腰掛けさせて撮影を行うことで、足が長く見える全身画像を得るようにした写真シール機がある（例えば、特許文献２参照）。
【０００９】
また、撮影画像において、背景となる背面部分と床部分とに対してそれぞれクロマキー処理等の画像処理を施し、背面部分と床部分との境界を見えなくするようにした写真シール機がある（例えば、特許文献３乃至５参照）。
【先行技術文献】
【特許文献】
【００１０】
【特許文献１】特開２０１０−２５８７７４号公報
【特許文献２】特開２００８−１６４９０６号公報
【特許文献３】特開２００８−７９１８５号公報
【特許文献４】特開２００６−１５５３５３号公報
【特許文献５】特開２００６−２８７２８５号公報
【発明の概要】
【発明が解決しようとする課題】
【００１１】
しかしながら、特許文献１，２の写真シール機では、全身画像を得ることはできるものの、利用者が携帯端末を持った手を伸ばして頭上から撮影して得られる画像のように、顔を強調した（顔が大きく写る）ような全身画像を得ることはできなかった。
【００１２】
また、ブログにアップロードされるコーデ画像としては、ファッション雑誌に掲載されている写真のように、試着室や部屋の一角で撮影した画像が好適とされるが、特許文献３乃至５の写真シール機により得られる画像は、背面部分と床部分との境界が見えない画像となってしまい、好適なコーデ画像を得ることができなかった。
【００１３】
本発明は、このような状況に鑑みてなされたものであり、利用者にとってより満足度の高い画像を提供することができるようにするものである。
【課題を解決するための手段】
【００１４】
本発明の一側面の写真シール作成装置は、撮影空間において利用者を被写体として撮影し、得られた撮影画像に対して利用者に編集入力を行わせ、前記撮影画像を所定のシール紙に印刷するとともに、前記撮影画像を通信ネットワークを介して接続されている携帯端末へ送信する写真シール作成装置であって、前記利用者を含む画像を取り込み、前記利用者を撮影する取り込み手段と、前記取り込み手段により取り込まれた取り込み画像の背景領域として、前記撮影空間の背面、側面、および床面の３面を抜き出す抜き出し手段と、前記撮影空間の背面、側面、および床面の３面が交わる交点を検知する検知手段と、前記撮影空間における背面、側面、および床面のうちの２面が交わる交線を模した線分を含む背景画像を生成する生成手段と、前記検知手段により検知された前記交点と、前記生成手段により生成された前記背景画像に含まれる前記交線とに基づいて、前記抜き出し手段により前記背景領域が抜き出された前記取り込み画像に前記背景画像を合成する合成手段とを備える。
【００１５】
前記抜き出し手段には、前記撮影空間の背面、側面、および床面それぞれの色範囲に応じたパラメータを用いて、前記背景領域を抜き出させ、前記検知手段には、前記撮影空間の背面、側面、および床面それぞれの色を示す値の境界に基づいて、前記交点を検知させることができる。
【００１６】
前記抜き出し手段には、前記撮影空間の背面、側面、および床面全ての色範囲に応じたパラメータを用いて、前記背景領域を抜き出させ、前記検知手段には、前記撮影空間の背面、側面、および床面の色を示す値と所定の閾値とに基づいて、前記交点を検知させることができる。
【００１７】
前記生成手段には、前記撮影空間の背面、側面、および床面の前記色を示す値を用いて前記背景画像を生成させることができる。
【００１８】
前記検知手段が前記色を示す値に基づいて前記交点を検知可能とするように、前記撮影空間内の照明を制御する照明制御手段をさらに設けることができる。
【００１９】
前記撮影空間の背面、側面、および床面には、クロマキー用シートが貼付され、前記抜き出し手段には、クロマキー処理を施すことにより、前記取り込み画像の前記背景領域を抜き出させることができる。
【００２０】
前記撮影空間の背面、側面、および床面のうちの２面が交わる交線近傍には、前記クロマキー用シートが貼付されないようにすることができる。
【００２１】
前記撮影空間の背面、側面、および床面に貼付される前記クロマキー用シートは、それぞれ異なる材質で構成されるようにすることができる。
【００２２】
前記被写体は、前記被写体からみて前方斜め上から撮影されるようにすることができる。
【００２３】
前記撮影空間の床面には、背面に近いほど高くなるように設置面に対する傾斜が設けられるようにすることができる。
【００２４】
本発明の一側面の写真シール作成方法は、撮影空間において利用者を被写体として撮影し、得られた撮影画像に対して利用者に編集入力を行わせ、前記撮影画像を所定のシール紙に印刷するとともに、前記撮影画像を通信ネットワークを介して接続されている携帯端末へ送信する写真シール作成装置の写真シール作成方法であって、前記利用者を含む画像を取り込み、前記利用者を撮影する取り込み手段により取り込まれた取り込み画像の背景領域として、前記撮影空間の背面、側面、および床面の３面を抜き出す抜き出しステップと、前記撮影空間における背面、側面、および床面の３面が交わる交点を検知する検知ステップと、前記撮影空間における背面、側面、および床面のうちの２面が交わる交線を模した線分を含む背景画像を生成する生成ステップと、前記検知ステップの処理により検知された前記交点と、前記生成ステップの処理により生成された前記背景画像に含まれる前記交線とに基づいて、前記抜き出しステップの処理により前記背景領域が抜き出された前記取り込み画像に前記背景画像を合成する合成ステップとを含む。
【００２５】
本発明の一側面のプログラムは、撮影空間において利用者を被写体として撮影し、得られた撮影画像に対して利用者に編集入力を行わせ、前記撮影画像を所定のシール紙に印刷するとともに、前記撮影画像を通信ネットワークを介して接続されている携帯端末へ送信する処理をコンピュータに実行させるプログラムであって、前記利用者を含む画像を取り込み、前記利用者を撮影する取り込み手段により取り込まれた取り込み画像の背景領域として、前記撮影空間の背面、側面、および床面の３面を抜き出す抜き出しステップと、前記撮影空間における背面、側面、および床面の３面が交わる交点を検知する検知ステップと、前記撮影空間における背面、側面、および床面のうちの２面が交わる交線を模した線分を含む背景画像を生成する生成ステップと、前記検知ステップの処理により検知された前記交点と、前記生成ステップの処理により生成された前記背景画像に含まれる前記交線とに基づいて、前記抜き出しステップの処理により前記背景領域が抜き出された前記取り込み画像に前記背景画像を合成する合成ステップとを含む処理をコンピュータに実行させる。
【００２６】
本発明においては、取り込まれた取り込み画像の背景領域として、撮影空間の背面、側面、および床面の３面が抜き出され、撮影空間における背面、側面、および床面の３面が交わる交点が検知され、撮影空間における背面、側面、および床面のうちの２面が交わる交線を模した線分を含む背景画像が生成され、検知された交点と、生成された背景画像に含まれる交線とに基づいて、背景領域が抜き出された取り込み画像に背景画像が合成される。
【発明の効果】
【００２７】
本発明によれば、利用者にとってより満足度の高い画像を提供することが可能となる。
【図面の簡単な説明】
【００２８】
【図１】写真シール作成装置の外観の構成例を示す斜視図である。
【図２】写真シール作成装置の外観を他の角度からみた斜視図である。
【図３】利用者の移動について説明する図である。
【図４】撮影部の構成例を示す図である。
【図５】撮影・表示ユニットの詳細な構成例を示す図である。
【図６】カメラの詳細な構成例を示す図である。
【図７】カメラ支持部の構成例を示す図である。
【図８】背景部の構成例を示す図である。
【図９】背景部の床の外観の構成例を示す図である。
【図１０】床の傾斜により得られる効果について説明する図である。
【図１１】背景部のクロマキー用シートについて説明する図である。
【図１２】編集部の構成例を示す図である。
【図１３】事後接客部の構成例を示す図である。
【図１４】写真シール作成装置の内部の構成例を示すブロック図である。
【図１５】制御部の詳細な構成例を示す機能ブロック図である。
【図１６】撮影処理部の詳細な構成例を示す機能ブロック図である。
【図１７】写真シール作成ゲームを提供する処理について説明するフローチャートである。
【図１８】撮影処理について説明するフローチャートである。
【図１９】撮影処理について説明するフローチャートである。
【図２０】撮影処理について説明するフローチャートである。
【図２１】下カメラアップ撮影時のライブビュー表示画面の例を示す図である。
【図２２】上カメラアップ撮影時のライブビュー表示画面の例を示す図である。
【図２３】上カメラ全身撮影のガイダンス画面の例を示す図である。
【図２４】上カメラ全身撮影時のライブビュー表示画面の例を示す図である。
【図２５】目サイズ選択画面の例を示す図である。
【図２６】明るさ選択画面の例を示す図である。
【図２７】上カメラ全身撮影処理について説明するフローチャートである。
【図２８】ライブビュー画像の例を示す図である。
【図２９】色範囲の検出について説明する図である。
【図３０】コーナー画像の例を示す図である。
【図３１】上カメラ全身画像の例を示す図である。
【図３２】上カメラ全身撮影処理について説明するフローチャートである。
【図３３】色範囲の検出について説明する図である。
【図３４】コーナーポイント調整処理について説明するフローチャートである。
【図３５】コーナーポイント調整画面の例を示す図である。
【図３６】コーナーポイント調整画面の例を示す図である。
【図３７】撮影空間におけるカメラと被写体との距離について説明する図である。
【発明を実施するための形態】
【００２９】
以下、本発明を適用した具体的な実施の形態について、図面を参照しながら詳細に説明する。
【００３０】
［写真シール作成装置の外観構成］
図１は、本発明の一実施形態に係る写真シール作成装置１の外観の構成例を示す斜視図である。
【００３１】
写真シール作成装置１は、撮影や編集等の作業を利用者にゲームとして行わせ、撮影画像や編集済み画像を提供する代わりに利用者より代金を受け取るゲーム機である。写真シール作成装置１はゲームセンタなどの店舗に設置される。利用者は１人であることもあるし、複数人であることもある。
【００３２】
写真シール作成装置１が提供するゲームで遊ぶ利用者は、代金を投入し、自身が被写体となって撮影を行い、撮影によって得られた撮影画像の中から選択した編集対象の画像に対して、手書きの線画やスタンプ画像を合成する編集機能を用いて編集を行うことにより、撮影画像を彩り豊かな画像にする。利用者は、編集済みの画像が印刷されたシール紙を受け取って一連のゲームを終了させることになる。
【００３３】
図１に示すように、写真シール作成装置１は、主に、撮影ユニット１１、編集部１２、および事後接客部１３から構成される。撮影ユニット１１と編集部１２が接した状態で設置され、編集部１２と事後接客部１３が接した状態で設置される。
【００３４】
撮影ユニット１１は、撮影部２１と背景部２２から構成される。撮影部２１と背景部２２は所定の距離だけ離れて設置され、撮影部２１と背景部２２の間に形成される空間である撮影空間において撮影作業が行われる。
【００３５】
撮影部２１は撮影作業を利用者に行わせる装置である。撮影部２１は、撮影空間に入り、撮影作業を行っている利用者の正面に位置する。撮影空間を正面に望む面を構成する撮影部２１の正面パネル４１には、撮影作業時に利用者により用いられるタッチパネルモニタなどが設けられる。撮影空間にいる利用者から見て左側の面を左側面、右側の面を右側面とすると、撮影部２１の左側面が側面パネル４２Ａにより構成され、右側面が側面パネル４２Ｂ（図示せず）により構成される。
【００３６】
背景部２２は、正面を向いて撮影作業を行っている利用者の背面側に位置する板状の部材である背面パネル５１、背面パネル５１の左端に取り付けられ、側面パネル４２Ａとほぼ同じ幅の板状の部材である側面パネル５２Ａ、および、背面パネル５１の右端に取り付けられ、側面パネル４２Ｂとほぼ同じ幅の板状の部材である側面パネル５２Ｂ（図２）から構成される。
【００３７】
撮影部２１の左側面を構成する側面パネル４２Ａと背景部２２の側面パネル５２Ａは、ほぼ同一平面に設けられ、それぞれの上部が板状の部材である連結部２３Ａによって連結される。また、撮影部２１の右側面を構成する側面パネル４２Ｂと背景部２２の側面パネル５２Ｂは、ほぼ同一平面に設けられ、それぞれの上部が板状の部材である連結部２３Ｂによって連結される。
【００３８】
撮影部２１の側面パネル４２Ａ、連結部２３Ａ、および背景部２２の側面パネル５２Ａに囲まれることによって形成される開口が撮影空間の出入り口Ｇ１となる。なお、図示はしないが、撮影部２１の側面パネル４２Ｂ、連結部２３Ｂ、および背景部２２の側面パネル５２Ｂに囲まれることによって形成される開口も撮影空間の出入り口Ｇ２となる。
【００３９】
撮影空間の上方には、撮影部２１の正面パネル４１、連結部２３Ａ、連結部２３Ｂ、および背景部２２の背面パネル５１に囲まれる開口が形成され、その開口の一部を覆うように天井ストロボユニット２４が設けられる。天井ストロボユニット２４の一端が連結部２３Ａに固定され、他端が連結部２３Ｂに固定される。天井ストロボユニット２４は、撮影に合わせて撮影空間内に向けて発光するストロボを内蔵する。天井ストロボユニット２４を構成するストロボの内部には蛍光灯が設けられており、撮影空間の照明としても機能する。
【００４０】
なお、撮影空間にいる利用者の正面−背面方向を奥行き方向とすると、撮影ユニット１１の寸法（奥行き、幅、および高さ）は、例えば、1850mm×1800mm×2225mmとされる。
【００４１】
編集部１２は、撮影作業によって得られた画像を編集する編集作業を利用者に行わせる装置である。編集部１２は、一方の側面が撮影部２１の正面パネル４１の背面に接するように撮影ユニット１１に連結して設けられる。編集部１２には、編集作業時に利用者により用いられるタブレット内蔵モニタなどの構成が設けられる。
【００４２】
図１に示す編集部１２の構成を正面側の構成とすると、２組の利用者が同時に編集作業を行うことができるように、編集部１２の正面側と背面側には編集作業に用いられる構成がそれぞれ設けられる。
【００４３】
編集部１２の正面側は、床面に対して垂直な面であり、側面パネル４２Ａとほぼ平行な面である面７１と、面７１の上方に形成された斜面７２から構成され、編集作業に用いられる構成が斜面７２に設けられる。斜面７２の左側には、柱状の形状を有し、照明装置７４の一端を支持する支持部７３Ａが設けられる。斜面７２の右側にも、照明装置７４の他端を支持する支持部７３Ｂ（図２）が設けられる。さらに、支持部７３Ａの左側には、板状の形状を有し、事後接客部１３が連結して設けられる支持部７３Ｃが設けられる。また、支持部７３Ｃの上面にはカーテンレール２６を支持する支持部７５が設けられる。
【００４４】
編集部１２の上方にはカーテンレール２６が取り付けられる。カーテンレール２６は、上から見たときの形状がコの字状となるように３本のレール２６Ａ乃至２６Ｃを組み合わせて構成される。平行に設けられるレール２６Ａと２６Ｂの一端は、連結部２３Ａと連結部２３Ｂにそれぞれ固定され、他端に残りの一本のレール２６Ｃの両端が接合される。
【００４５】
カーテンレール２６には、編集部１２の正面前方の空間と背面前方の空間の内部が外から見えないようにカーテンが取り付けられる。カーテンレール２６に取り付けられたカーテンにより囲まれる編集部１２の正面前方の空間と背面前方の空間が、利用者が編集作業を行う編集空間となる。
【００４６】
図２は、写真シール作成装置１を別の角度から見た斜視図である。
【００４７】
事後接客部１３は利用者に対して事後接客を行う装置である。事後接客では、撮影画像や編集済みの画像が携帯電話機などの携帯端末に送信される。
【００４８】
図２に示すように、事後接客部１３は、所定の厚さを有する板状の筐体を有しており、その背面が編集部１２の左側面に接するように編集部１２に連結して設けられる。事後接客部１３の正面には、事後接客時に利用者により用いられるタブレット内蔵モニタや、撮影画像や編集済みの画像が印刷されたシール紙が排出される排出口などが設けられる。事後接客部１３の正面前方の空間が、シール紙への印刷が終わるのを待っている利用者に対して事後接客を行う事後接客空間となる。
【００４９】
ここで、写真シール作成ゲームの流れと、それに伴う利用者の移動について図３を参照して説明する。図３は、写真シール作成装置１を上から見た平面図である。
【００５０】
写真シール作成装置１の利用者は、白抜き矢印＃１で示すように出入り口Ｇ１から、または白抜き矢印＃２で示すように出入り口Ｇ２から、撮影部２１と背景部２２の間に形成された撮影空間Ａ１に入り、撮影部２１に設けられたカメラやタッチパネルモニタなど利用して撮影作業を行う。
【００５１】
撮影作業を終えた利用者は、白抜き矢印＃３で示すように出入り口Ｇ１を使って撮影空間Ａ１から出て編集空間Ａ２−１に移動するか、白抜き矢印＃４で示すように出入り口Ｇ２を使って撮影空間Ａ１から出て編集空間Ａ２−２に移動する。
【００５２】
編集空間Ａ２−１は、編集部１２の正面側の編集空間であり、編集空間Ａ２−２は、編集部１２の背面側の編集空間である。編集空間Ａ２−１と編集空間Ａ２−２のいずれの空間に移動するのかが、撮影部２１のタッチパネルモニタの画面表示などによって案内される。例えば２つの編集空間のうちの空いている方の空間が移動先として案内される。編集空間Ａ２−１または編集空間Ａ２−２に移動した利用者は編集作業を開始する。編集空間Ａ２−１の利用者と、編集空間Ａ２−２の利用者は同時に編集作業を行うことができる。
【００５３】
編集作業が終了した後、撮影画像や編集済みの画像の中から選択された画像の印刷が開始される。画像の印刷中、編集作業を終えた利用者は、編集空間Ａ２−１で編集作業を行っていた場合には白抜き矢印＃５で示すように編集空間Ａ２−１から事後接客空間Ａ３に移動して事後接客を受ける。また、編集作業を終えた利用者は、編集空間Ａ２−２で編集作業を行っていた場合には白抜き矢印＃６で示すように編集空間Ａ２−２から事後接客空間Ａ３に移動し、事後接客空間Ａ３において事後接客を受ける。
【００５４】
画像の印刷が終了したとき、利用者は、事後接客部１３に設けられた排出口からシール紙を受け取り、一連の写真シール作成ゲームを終えることになる。
【００５５】
次に、各装置の構成について説明する。
【００５６】
［撮影部の構成］
図４は、撮影部２１の構成例を示す図である。撮影部２１は、正面パネル４１、側面パネル４２Ａ、および側面パネル４２Ｂが、箱状の形状を有するベース部４３に取り付けられることによって構成される。
【００５７】
正面パネル４１は撮影空間Ａ１で撮影作業を行う利用者の正面に位置し、側面パネル４２Ａと側面パネル４２Ｂは、それぞれ、撮影空間Ａ１で撮影作業を行う利用者の左側、右側に位置する。側面パネル４２Ａの上方には連結部２３Ａが固定され、側面パネル４２Ｂの上方には連結部２３Ｂが固定される。
【００５８】
正面パネル４１のほぼ中央には撮影・表示ユニット８１が設けられる。撮影・表示ユニット８１は、カメラ９１、カメラストロボ９２、およびタッチパネルモニタ９３から構成される。
【００５９】
カメラ９１は、CCD(Charge Coupled Device)などの撮像素子を有する撮像装置を含むように構成され、撮影空間Ａ１にいる利用者を撮影する。カメラ９１により取り込まれた動画像（ライブビュー画像）は、タッチパネルモニタ９３にリアルタイムで表示される。利用者により撮影が指示されたときなどの所定のタイミングでカメラ９１により取り込まれた画像は撮影画像（静止画像）として保存される。なお、カメラ９１により取り込まれた画像、すなわち、ライブビュー画像および撮影画像を併せて、以下、取り込み画像ともいう。
【００６０】
カメラ９１の背面側には、カメラストロボ９２が設けられ、カメラ９１は、カメラストロボ９２の表面側で上下方向に駆動（移動）するようになされている。カメラストロボ９２は、発光面を構成するアクリル板と、その背後に設けられる蛍光灯等の照明装置とから構成され、他のストロボと同様にカメラ９１による撮影に合わせて発光する。カメラストロボ９２においては、カメラ９１の上下方向の位置に応じて露出する部分が発光面となる。つまり、カメラストロボ９２は、カメラ９１の上下方向の位置に応じて、被写体としての利用者の顔付近をカメラ９１の上方または下方から照射する。
【００６１】
カメラ９１の下側に設けられたタッチパネルモニタ９３は、LCD(Liquid Crystal Display)などのモニタと、それに積層されたタッチパネルにより構成される。タッチパネルモニタ９３は、カメラ９１により取り込まれた動画像を表示するライブビューモニタとしての機能と、各種のGUI(Graphical User Interface)画像を表示し、利用者の選択操作をタッチパネルにより受け付ける機能とを備えている。タッチパネルモニタ９３には、適宜、背景等の画像が合成された後の動画像が表示される。
【００６２】
正面パネル４１には、撮影・表示ユニット８１の位置を基準として、上方に上ストロボ８２が設置される。また、左方に左ストロボ８３が設置され、右方に右ストロボ８４が設置される。撮影・表示ユニット８１の下方の位置には、ベース部４３の上面が一部突出する形で下ストロボ８５が設けられる。
【００６３】
上ストロボ８２は、利用者を上前方から照射する。左ストロボ８３は、利用者を左前方から照射し、右ストロボ８４は、利用者を右前方から照射する。下ストロボ８５は、利用者を下前方から照射する。
【００６４】
ベース部４３には利用者の足元を照射する足元ストロボ８６も設けられる。上ストロボ８２、左ストロボ８３、右ストロボ８４、下ストロボ８５、および足元ストロボ８６の内部には蛍光灯が設けられており、天井ストロボユニット２４を構成するストロボの内部の蛍光灯と合わせて、撮影空間Ａ１内の照明として用いられる。各蛍光灯の発光量が調整されることによって、または、発光させる蛍光灯の数が調整されることによって、撮影空間Ａ１内の明るさが、利用者が行っている撮影作業の内容に応じて適宜調整される。
【００６５】
また、足元ストロボ８６の右側には、利用者がお金を投入する硬貨投入返却口８７が設けられる。
【００６６】
さらに、下ストロボ８５の上側であって、タッチパネルモニタ９３の左側には、利用者を左下前方から照射するモニタ左ストロボ８８が設けられ、タッチパネルモニタ９３の右側には、利用者を右下前方から照射するモニタ右ストロボ８９が設けられる。
【００６７】
なお、各ストロボ内部には、蛍光灯以外の照明装置が設けられてもよい。
【００６８】
下ストロボ８５を挟んでベース部４３の上面の左右に形成されるスペース４３Ａおよび４３Ｂは、撮影作業を行う利用者が手荷物等を置くための荷物置き場として用いられる。また、正面パネル４１の例えば天井付近には、利用者に撮影作業を行わせる撮影処理の案内音声、BGM(Back Ground Music)、効果音等の音を出力するスピーカも設けられる。
【００６９】
ここで、カメラ９１の上下方向の駆動について説明する。
【００７０】
撮影処理においては、カメラ９１の上下方向の位置が、被写体としての利用者を、利用者から見て前方正面から撮影する位置と、利用者から見て前方斜め上から撮影する位置とになるように、カメラ９１を上下方向に駆動させて撮影が行われる。
【００７１】
以下、適宜、利用者を前方正面から撮影する位置にあるカメラ９１を下カメラといい、利用者を前方斜め上から撮影する位置にあるカメラ９１を上カメラという。
【００７２】
［撮影・表示ユニットの構成例］
図５は、上下方向に駆動するカメラ９１を含む撮影・表示ユニット８１の詳細な構成例を示している。
【００７３】
図５Ａに示されるように、撮影・表示ユニット８１は、縦長の直方体の形状を有する筐体の一側面に、カメラ９１、カメラストロボ９２、およびタッチパネルモニタ９３が設けられることで構成される。カメラ９１およびカメラストロボ９２の周囲には、それらを囲うような額縁状のカバー９４が設けられており、カメラ９１は、カバー９４の開口部の範囲内で上下方向に駆動する。
【００７４】
図５Ｂは、図５Ａの状態から、タッチパネルモニタ９３およびカバー９４を取り外した撮影・表示ユニット８１を示している。図５Ｂに示されるように、カメラ９１は、カメラストロボ９２の発光面を構成するアクリル板９５と一体に構成されており、アクリル板９５は、カメラ９１とともに上下方向に駆動する。また、カメラ９１は、カメラ支持部９６によってその側面が支持されており、カメラ支持部９６に設けられたガイド溝に従って上下方向に駆動する。
【００７５】
図５Ｃは、図５Ｂの状態から、アクリル板９５を取り外した撮影・表示ユニット８１を示している。図５Ｃに示されるように、カメラ９１の背面上方には、カメラ上蛍光灯９７Ｕが設けられ、カメラ９１の背面下方には、カメラ下蛍光灯９７Ｄが設けられている。カメラ９１は、カメラストロボ９２を構成する照明装置としてのカメラ上蛍光灯９７Ｕおよびカメラ下蛍光灯９７Ｄと一体に構成されており、カメラ上蛍光灯９７Ｕおよびカメラ下蛍光灯９７Ｄは、カメラ９１とともに上下方向に駆動する。
【００７６】
つまり、図５Ａに示されるように、カメラ９１がカバー９４の開口部の下端に位置し、下カメラの状態となるとき、カメラ９１の上側のアクリル板９５が露出し、カメラ上蛍光灯９７Ｕが発光することで、カメラストロボ９２は、被写体としての利用者の顔付近をカメラ９１の上方から照射する。
【００７７】
また、図示はしないが、カメラ９１がカバー９４の開口部の上端に位置し、上カメラの状態となるとき、カメラ９１の下側のアクリル板９５が露出し、カメラ下蛍光灯９７Ｄが発光することで、カメラストロボ９２は、被写体としての利用者の顔付近をカメラ９１の下方から照射する。
【００７８】
［カメラの構成例］
図６は、カメラ９１の詳細な構成例を示している。
【００７９】
カメラ９１は、撮像装置であるカメラ本体９１Ｍがケース９１Ｃに搭載されて構成される。カメラ９１には、所定の駆動機構によりカメラ９１が上下方向に駆動することにより、カメラ本体９１Ｍのレンズの光軸に平行な軸を中心に回転する回転部９１Ｒが設けられている。また、カメラ本体９１Ｍの焦点距離（ピント）を調整するフォーカスリング９１Ｆの円周面に設けられたギアと、回転部９１Ｒの一端に設けられたギア（図示せず）とは、内側にリブが設けられたタイミングベルト９１Ｂにより連結されている。
【００８０】
すなわち、カメラ９１が上下方向に駆動することにより、回転部９１Ｒが回転し、回転部９１Ｒが回転することにより、タイミングベルト９１Ｂを介してフォーカスリング９１Ｆが回転し、カメラ本体９１Ｍのフォーカスが調整されるようになされている。具体的には、カメラ９１が下カメラの状態では、ズームインするようにフォーカスが調整され、カメラ９１が上カメラの状態では、ズームアウトするようにフォーカスが調整される。
【００８１】
また、ケース９１Ｃの側面には、突起物P1，P2が設けられている。カメラ９１は、突起物P1，P2がそれぞれ、図７に示されるようなカメラ支持部９６に設けられたガイド溝g1，g2に沿ってガイドされることで上下方向に駆動する。ガイド溝g1，g2は、カメラ支持部９６を貫通するように形成されてもよいし、貫通しないように形成されてもよい。また、図７に示されるように、ガイド溝g2は、ガイド溝g1の上端に対応する位置より上では、ガイド溝g1の上端を中心に孤を描くように形成されている。これにより、突起物P1，P2がそれぞれ、ガイド溝g1の上端、および、ガイド溝g2のガイド溝g1の上端に対応する位置に達した後、カメラ９１は、ガイド溝g1の上端を中心に、図中左方向に所定角度だけ回転し、撮影空間の下方向を撮影するようになる。
【００８２】
このような構造により、カメラ９１が下カメラの状態のときには、利用者は前方正面から撮影され、カメラ９１が上カメラの状態のときには、利用者は前方斜め上から撮影されるようになる。
【００８３】
［背景部の構成］
図８は、背景部２２の撮影空間Ａ１側の構成例を示す図である。図８Ａは、背景部２２の構成例を示す正面図であり、図８Ｂは、背景部２２の構成例を示す斜視図である。
【００８４】
背面パネル５１の上方のほぼ中央には、撮影空間Ａ１内で撮影作業を行っている利用者を後方中央から照射する背面中央ストロボ１０１が取り付けられる。
【００８５】
背面パネル５１の上方であって、出入り口Ｇ１側の位置には、撮影空間Ａ１内で撮影作業を行っている利用者を左後方から照射する背面左ストロボ１０２が取り付けられる。また、背面パネル５１の上方であって、出入り口Ｇ２側の位置には、撮影空間Ａ１内で撮影作業を行っている利用者を右後方から照射する背面右ストロボ１０３が取り付けられる。
【００８６】
また、背面パネル５１の下側で、撮影空間Ａ１において側面パネル５２Ａおよび側面パネル５２Ｂに挟まれる部分には、床１０４が設けられている。床１０４は、図９に示されるように、背面パネル５１側に近いほど高くなるように、写真シール作成装置１が設置される設置面に対して、例えば７°等の傾斜が設けられている。
【００８７】
なお、撮影空間にいる利用者の正面−背面方向を奥行き方向とすると、床１０４の寸法（奥行き、幅、および背面パネル５１側の高さ）は、例えば、550mm×1710mm×80mmとされる。
【００８８】
［床の傾斜により得られる効果］
ここで、図１０を参照して、床１０４に傾斜を設けることによって得られる効果について説明する。
【００８９】
図１０には、撮影空間Ａ１において、上カメラの状態のカメラ９１によって撮影される被写体（利用者）１１１が示されている。被写体の全身を撮影しようとする場合、上カメラによる撮影によれば、下カメラによる撮影と比較して、顔が大きく写るので、顔が強調された撮影画像を得ることができる。また、下カメラにより得られる全身画像より、上カメラにより得られる全身画像の方が、画像における被写体の割合を高めることができる。このように、上カメラによる撮影は、被写体の全身画像を得るのに好適とされている。
【００９０】
例えば、一般的な写真シール作成装置の撮影空間において、図１０Ａに示されるように、被写体１１１がカメラ９１に顔を近づけるように前傾姿勢をとった場合には、顔がより強調された撮影画像を得ることができる。
【００９１】
さらに、本発明の写真シール作成装置１のように傾斜を設けた床１０４を備えることで、図１０Ｂに示されるように、被写体１１１のかかと部分がヒールのある靴を履いているときと同じ状態となり、カメラ９１の撮像面に対する足の甲の長さが、図１０Ａの場合より長くなるので、より足が長く見える撮影画像を得ることができる。
【００９２】
特に、ヒールのある靴を履いた場合の地面と足の裏のなす角度が７°のときに最も足が長く見えるものとすると、床１０４の傾斜を７°とすることで、例えば学校指定のヒールの低い靴を履いている女子中高生であっても、ヒールのある靴を履いたときと同様に、より足が長く見える撮影画像を得ることができる。
【００９３】
また、図１０Ａに示されるように、被写体１１１が前傾姿勢をとってカメラ９１を見た場合、顎の下から首にかけての部分１１１ｎがストロボによって照射されてしまうので、撮影画像においては、顔の輪郭がわかりにくく、必要以上に顔が大きく見えてしまう恐れがある。
【００９４】
一方、図１０Ｂのように床１０４を備えることで、被写体１１１は、図１０Ａのように前傾姿勢にならず、顎を出さない姿勢で撮影することができるので、顎の下から首にかけての部分１１１ｎに影ができ、撮影画像においては、顔の輪郭が強調されて、必要以上に顔が大きく見えることを避けることができる。
【００９５】
さらに、図１０Ａにおいて、被写体１１１が前傾姿勢をとらずにカメラ９１を見た場合、撮影画像においては、上目遣いをした顔となってしまう。一方、図１０Ｂのように床１０４を備えることで、被写体１１１の視線が高くなるので、被写体１１１は、カメラ９１を自然に見ることができ、撮影画像においては、上目遣いをした顔となることを避けることができる。
【００９６】
［クロマキー用シートについて］
また、本実施の形態においては、背景部２２の撮影空間Ａ１側に、背景に利用する巻き取り式の背景カーテンや、クロマキー用のカーテンとして使用する昇降式カーテンを設けず、背景部２２を構成する背面パネル５１、側面パネル５２Ａ，５２Ｂ、および床１０４の表面にクロマキー用のシートが貼付される。
【００９７】
図１１は、背景部２２の撮影空間Ａ１側に貼付されるクロマキー用シートについて説明する図である。
【００９８】
図１１に示されるように、背景パネル５１にはクロマキー用シート１２１Ａが貼付され、側面パネル５２Ｂの下部にはクロマキー用シート１２１Ｂが貼付され、床１０４の斜面部分にはクロマキー用シート１２１Ｃが貼付される。クロマキー用シート１２１Ａ乃至１２１Ｃは、緑色のクロマキー用シートであり、これにより、いわゆるグリーンバック合成が行われる。なお、図示はしないが、側面パネル５２Ａの下部にもクロマキー用シート１２１Ｂと同様のクロマキー用シート１２１Ｃ’が貼付される。なお、図１１に示されるように、クロマキー用シート１２１Ｂは、側面パネル５２Ｂの下部のみに貼付されるものとしたが、側面パネル５２Ｂにおいてクロマキー用シート１２１Ｂが貼付される部分は、カメラ９１の画角に入る部分より広ければよく、例えば側面パネル５２Ｂの全面であってもよい。また、側面パネル５２Ａに貼付されるクロマキー用シート１２１Ｃ’についても同様である。
【００９９】
クロマキー用シート１２１Ａ，１２１Ｂ，１２１Ｃはそれぞれ、同一の材質で構成されるようにしてもよいし、異なる材質で構成されるようにしてもよい。具体的には、例えば、撮影空間Ａ１の背面となるクロマキー用シート１２１Ａを布製とし、側面となるクロマキー用シート１２１Ｂを樹脂製または布製とし、クロマキー用シート１２１Ｃをゴム等の樹脂製としてもよい。
【０１００】
［編集部の構成］
図１２は、編集部１２の正面側（編集空間Ａ２−１側）の構成例を示す図である。
【０１０１】
斜面７２のほぼ中央には、タブレット内蔵モニタ１３１が設けられる。タブレット内蔵モニタ１３１を挟んで左側にタッチペン１３２Ａが設けられ、右側にタッチペン１３２Ｂが設けられる。
【０１０２】
タブレット内蔵モニタ１３１は、タッチペン１３２Ａまたは１３２Ｂを用いて操作入力が可能なタブレットがLCDなどの編集用モニタに重畳して設けられることによって構成される。タブレット内蔵モニタ１３１には、例えば、編集対象画像として選択された撮影画像の編集に用いられる画面である編集画面が表示される。２人で同時に編集作業を行う場合、タッチペン１３２Ａは一方の利用者により用いられ、タッチペン１３２Ｂは他方の利用者により用いられる。
【０１０３】
編集部１２の左側には事後接客部１３が設けられる。
【０１０４】
［事後接客部の構成］
図１３は、事後接客部１３の正面側の構成例を示す図である。
【０１０５】
事後接客部１３の上方中央にはタブレット内蔵モニタ１６１が設けられる。タブレット内蔵モニタ１６１を挟んで左側にタッチペン１６２Ａが設けられ、右側にタッチペン１６２Ｂが設けられる。タブレット内蔵モニタ１６１もタブレット内蔵モニタ１３１と同様に、タッチペン１６２Ａまたは１６２Ｂを用いて操作入力が可能なタブレットがLCDなどの事後接客用モニタに重畳して設けられることによって構成される。タブレット内蔵モニタ１６１には、撮影画像や編集済みの画像を携帯電話機などの携帯端末に送信する事後接客処理に用いられる画面が表示される。
【０１０６】
タブレット内蔵モニタ１６１の下には非接触型ICリーダ／ライタ１６３が設けられ、非接触型ICリーダ／ライタ１６３の下にはシール紙排出口１６４が設けられる。シール紙排出口１６４の下にはスピーカ１６５が設けられる。
【０１０７】
非接触型ICリーダ／ライタ１６３は、近接された非接触型ICと通信を行い、非接触型ICからのデータの読み出しや非接触型ICに対するデータの書き込みを行う。
【０１０８】
シール紙排出口１６４には、編集空間Ａ２−１の利用者が編集作業を行うことによって作成した画像が印刷されたシール紙、または、編集空間Ａ２−２の利用者が編集作業を行うことによって作成した画像が印刷されたシール紙が排出される。編集部１２の内部にはプリンタが設けられており、画像の印刷がそのプリンタにより行われる。
【０１０９】
スピーカ１６５は、事後接客処理の案内音声、BGM、効果音等の音を出力する。
【０１１０】
［写真シール作成装置の内部構成］
次に、写真シール作成装置１の内部構成について説明する。図１４は、写真シール作成装置１の内部の構成例を示すブロック図である。上述した構成と同じ構成には同じ符号を付してある。なお、重複する説明については適宜省略する。
【０１１１】
制御部２０１はCPU(Central Processing Unit)などよりなり、ROM(Read Only Memory)２０６や記憶部２０２に記憶されているプログラムを実行し、写真シール作成装置１の全体の動作を制御する。制御部２０１には、記憶部２０２、通信部２０３、ドライブ２０４、ROM２０６、RAM(Random Access Memory)２０７が接続される。制御部２０１には、撮影部２０８、編集部２０９、および事後接客部２１０の各構成も接続される。
【０１１２】
記憶部２０２は、ハードディスクやフラッシュメモリなどの不揮発性の記憶媒体からなり、制御部２０１から供給された各種の設定情報を記憶する。記憶部２０２に記憶されている情報は制御部２０１により適宜読み出される。
【０１１３】
通信部２０３はインターネットなどのネットワークのインタフェースであり、制御部２０１による制御に従って外部の装置と通信を行う。
【０１１４】
ドライブ２０４には、光ディスクや半導体メモリなどよりなるリムーバブルメディア２０５が適宜装着される。ドライブ２０４によりリムーバブルメディア２０５から読み出されたコンピュータプログラムやデータは、制御部２０１に供給され、記憶部２０２に記憶されたり、インストールされたりする。
【０１１５】
ROM２０６には、制御部２０１において実行されるプログラムやデータが記憶されている。RAM２０７は、制御部２０１が処理するデータやプログラムを一時的に記憶する。
【０１１６】
撮影部２０８は、撮影空間Ａ１における撮影処理を行う構成である硬貨処理部２２１、照明装置２２２、カメラ９１、タッチパネルモニタ９３、およびスピーカ２２３から構成される。
【０１１７】
硬貨処理部２２１は、硬貨投入返却口８７に対する硬貨の投入を検出する。硬貨処理部２２１は、例えば３００円などの所定の金額分の硬貨が投入されたことを検出した場合、そのことを表す起動信号を制御部２０１に出力する。
【０１１８】
照明装置２２２は、撮影空間Ａ１内の各ストロボの内部に設けられる蛍光灯であり、制御部２０１より供給される照明制御信号に従って発光する。上述したように、撮影空間Ａ１には、天井ストロボユニット２４のストロボの他に、撮影部２１に設けられる上ストロボ８２、左ストロボ８３、右ストロボ８４、下ストロボ８５、足元ストロボ８６、モニタ左ストロボ８８、モニタ右ストロボ８９と、背景部２２に設けられる背面中央ストロボ１０１、背面左ストロボ１０２，背面右ストロボ１０３が設けられている。
【０１１９】
また、照明装置２２２は、制御部２０１による制御に従って発光量を調整することによって、利用者が行っている撮影作業の段階に応じて撮影空間Ａ１内の明るさを調整する。
【０１２０】
カメラ９１は、制御部２０１による制御に従って撮影を行い、撮影によって得られた画像を制御部２０１に出力する。
【０１２１】
スピーカ２２３は、利用者に撮影作業を行わせる撮影処理の案内音声、BGM、効果音等の音を出力する。
【０１２２】
編集部２０９Ａは、編集空間Ａ２−１における編集処理を行う構成として編集部１２の正面側に設けられるタブレット内蔵モニタ１３１、タッチペン１３２Ａ，１３２Ｂ、およびスピーカ２３１から構成される。編集部２０９Ｂも編集部２０９Ａと同一の構成を有しており、編集空間Ａ２−２における編集処理を行う。
【０１２３】
タブレット内蔵モニタ１３１は、制御部２０１による制御に従って、内蔵する編集用モニタに編集画面を表示し、編集画面（内蔵するタブレット）に対する利用者の操作を検出する。利用者の操作の内容を表す信号は制御部２０１に供給され、編集対象の撮影画像の編集が行われる。
【０１２４】
スピーカ２３１は、利用者に編集作業を行わせる編集処理の案内音声、BGM、効果音等の音を出力する。
【０１２５】
事後接客部２１０は、事後接客空間Ａ３における事後接客処理を行う構成であるタブレット内蔵モニタ１６１、タッチペン１６２Ａ，１６２Ｂ、非接触型ICリーダ／ライタ１６３、スピーカ１６５、印刷処理を行う構成であるプリンタ２４１、およびシール紙ユニット２４２から構成される。
【０１２６】
タブレット内蔵モニタ１６１は、制御部２０１による制御に従って、内蔵する事後接客用モニタに事後接客に用いられる画面を表示し、その画面（内蔵するタブレット）に対する利用者の操作を検出する。利用者の操作の内容を表す信号は制御部２０１に供給され、事後接客が行われる。
【０１２７】
プリンタ２４１は、撮影画像、または編集処理によって得られた編集済みの画像を、プリンタ２４１に装着されたシール紙ユニット２４２に収納されているシール紙に印刷し、シール紙排出口１６４に排出する。
【０１２８】
［制御部の構成］
次に、制御部２０１について説明する。図１５は、制御部２０１がROM２０６などに格納されているプログラムを実行することにより実現される機能ブロックの構成例を示している。
【０１２９】
制御部２０１は、写真シール作成ゲームを開始する際に投入される代金に関する処理や利用者グループを撮影する等の写真シール作成ゲームの撮影作業の工程に関する処理を行う撮影処理部３０１、撮影画像に対する落書き編集等の写真シール作成ゲームの編集作業の工程に関する処理を行う編集処理部３０２、シール紙の印刷等の写真シール作成ゲームの印刷の工程に関する処理を行う印刷処理部３０３、および、編集作業を終了した利用者グループを接客する写真シール作成ゲームの事後接客の工程に関する処理を行う事後接客処理部３０４を有する。
【０１３０】
つまり、制御部２０１は、写真シール作成ゲームの各工程に関する処理の制御を行う。
【０１３１】
［撮影処理部の構成］
図１６は、図１５の撮影処理部３０１のさらに詳細な構成例を示す機能ブロック図である。
【０１３２】
図１６の例において、撮影処理部３０１は、進行制御部３１１、撮影パラメータ設定部３１２、ライブビュー表示制御部３１３、撮影画像取得部３１４、照明制御部３１５、カメラ駆動制御部３１６、クロマキー処理部３１７、コーナーポイント検知部３１８、コーナー画像生成部３１９、および合成処理部３２０から構成される。
【０１３３】
進行制御部３１１は、撮影作業の工程の進行を制御する。
【０１３４】
撮影パラメータ設定部３１２は、写りや明るさ、目のサイズ等の撮影に関するパラメータの設定に関する処理を行う。
【０１３５】
ライブビュー表示制御部３１３は、タッチパネルモニタ９３の表示（ライブビュー表示）に関する処理を行う。
【０１３６】
撮影画像取得部３１４は、撮影、特に、撮影画像の取得に関する処理を行う。
【０１３７】
照明制御部３１５は、撮影空間内に設けられる照明装置の発光に関する処理を行う。
【０１３８】
カメラ駆動制御部３１６は、カメラ９１の駆動に関する処理を行う。
【０１３９】
クロマキー処理部３１７は、カメラ９１により取り込まれた取り込み画像の背景領域の色に基づいて、背景領域を抜き出すクロマキー処理を行う。
【０１４０】
コーナーポイント検知部３１８は、カメラ９１により取り込まれた取り込み画像の背景領域としての、撮影空間の背面、側面、および床面の３面が交わる交点であるコーナーポイントを検知する。
【０１４１】
コーナー画像生成部３１９は、撮影空間の背面、側面、および床面のうちの２面が交わる交線を模した線分であるコーナーラインを含む背景画像（以下、コーナー画像という）を生成する。
【０１４２】
合成処理部３２０は、クロマキー処理部３１７により背景領域が抜き出された取り込み画像に、コーナー画像生成部３１９により生成されたコーナー画像を合成する。
【０１４３】
［写真シール作成装置の動作］
次に、図１７のフローチャートを参照して、写真シール作成ゲームを提供する写真シール作成装置１の処理について説明する。
【０１４４】
ステップＳ１において、写真シール作成装置１の制御部２０１の撮影処理部３０１は、所定の金額分の硬貨が投入されたか否かを硬貨処理部２２１から供給される信号に基づいて判定し、投入されたと判定するまで待機する。
【０１４５】
硬貨が投入されたとステップＳ１において判定した場合、ステップＳ２において、撮影処理部３０１は、撮影部２０８を制御し、カメラ９１に取り込まれた被写体の動画像をタッチパネルモニタ９３にライブビュー表示させ、撮影空間Ａ１にいる利用者を被写体として撮影する撮影処理を行う。なお、撮影処理については、図１８乃至図２０のフローチャートを参照して後述する。
【０１４６】
ステップＳ３において、撮影処理部３０１は、撮影空間Ａ１にいる利用者に対して、編集空間Ａ２−１または編集空間Ａ２−２への移動を案内する。編集空間Ａ２−１または編集空間Ａ２−２への移動の案内は、撮影部２０８のタッチパネルモニタ９３に画面を表示させることによって、または音声をスピーカ２２３から出力させることによって行われる。
【０１４７】
ステップＳ４において、編集処理部３０２は、編集空間Ａ２−１と編集空間Ａ２−２のうち、撮影処理を終えた利用者の移動先とした方の編集空間に対応する編集部２０９を制御し、編集処理を行う。具体的には、編集処理部３０２は、編集対象画像として選択された撮影画像に合成する合成用画像を利用者に選択させ、選択された合成用画像を撮影画像に合成させ、得られた合成画像に対して、利用者による編集操作に従って編集を行う。
【０１４８】
ステップＳ５において、編集処理部３０２は、編集空間Ａ２−１または編集空間Ａ２−２で編集処理を終えた利用者に対して事後接客空間Ａ３への移動を案内する。事後接客空間Ａ３への移動の案内は、タブレット内蔵モニタ１３１に画面を表示させることによって、または音声をスピーカ２３１から出力させることによって行われる。
【０１４９】
ステップＳ６において、印刷処理部３０３は、利用者により選択された画像をプリンタ２４１に出力してシール紙に印刷させる印刷処理を行う。
【０１５０】
ステップＳ７において、事後接客処理部３０４は、事後接客部２１０を制御し、印刷終了待機中の利用者に対する事後接客処理を行う。具体的には、事後接客処理部３０４は、撮影画像や編集済みの画像を携帯端末に送信する携帯送信ゲーム処理を事後接客処理として行い、携帯端末の電子メールアドレスを直接入力することで画像を携帯端末に送信するか、非接触型ICと通信することで画像を携帯端末に送信するかを利用者に選択させる送信方法の選択画面や、送信する画像の選択画面をタブレット内蔵モニタ１６１に表示させ、利用者による操作に応じて画像を送信する。
【０１５１】
印刷が終了すると、ステップＳ８において、事後接客処理部３０４は、印刷が終了した旨をタブレット内蔵モニタ１６１に表示させ、プリンタ２４１は、画像が印刷されたシール紙をシール紙排出口１６４に排出し、処理を終了させる。
【０１５２】
［撮影処理の例］
次に、図１８乃至図２０のフローチャートを参照して、上述した写真シール作成ゲームの一連の処理におけるステップＳ２の撮影処理の流れの例を説明する。
【０１５３】
ステップＳ３１において、撮影パラメータ設定部３１２は、写り選択画面をタッチパネルモニタ９３に表示させ、利用者による写り選択を受け付ける。写り選択は、色合いやシャープネス等の、画像の画質の選択である。撮影パラメータ設定部３１２は、利用者により選択された写りに応じて、カメラ９１により撮影された画像の画質を調整する。
【０１５４】
ステップＳ３２において、進行制御部３１１は、撮影方法のガイダンス画面をタッチパネルモニタ９３に表示させる。具体的には、利用者の顔または上半身を前方正面から撮影する下カメラアップ撮影を行う旨のガイダンス画面を表示する。すなわち、このとき、カメラ９１は、下カメラの状態とされる。ガイダンス画面を表示した後、撮影画像取得部３１４は、カメラ９１を制御し、画像の取り込みを開始させる。
【０１５５】
ステップＳ３３において、ライブビュー表示制御部３１３は、カメラ９１により取り込まれた動画像（ライブビュー画像）をタッチパネルモニタ９３に表示させる（ライブビュー表示を行う）。
【０１５６】
ステップＳ３４において、撮影画像取得部３１４は、タッチパネルモニタ９３にカウントダウンインジケータを表示し、撮影タイミングを利用者に通知する。
【０１５７】
撮影タイミングになったとき、ステップＳ３５において、撮影画像取得部３１４は、カメラ９１を制御して下カメラアップ撮影を行い、静止画像である撮影画像（下カメラアップ画像）を取得する。
【０１５８】
ステップＳ３６において、進行制御部３１１は、撮影画像をタッチパネルモニタ９３に表示し、撮影結果を利用者に確認させる。
【０１５９】
図２１は、下カメラアップ撮影時にタッチパネルモニタ９３に表示されるライブビュー表示画面の例を示している。図２１のライブビュー表示画面は、カメラ９１のライブビュー画像を表示するライブビュー表示領域４１１、および、撮影の結果得られる撮影画像が表示される撮影結果表示領域４１２−１乃至４１２−６から構成されている。図２１のライブビュー表示画面において、図示せぬカウントダウンインジケータで示される数字が０になったときに、ライブビュー表示領域４１１に表示されているライブビュー画像が下カメラアップ画像として得られる。得られた下カメラアップ画像は、撮影した順に、撮影結果表示領域４１２−１乃至４１２−６のうちの所定の領域（具体的には、撮影結果表示領域４１２−１乃至４１２−３）に表示されるようになる。
【０１６０】
図１８のフローチャートに戻り、ステップＳ３６の後、ステップＳ３７において、進行制御部３１１は、撮影を所定回数繰り返し行ったか否かを判定する。ステップＳ３７において撮影を所定回数行っていないと判定された場合、処理はステップＳ３３に戻り、上述の処理を繰り返し行う。具体的には、３回の下カメラアップ撮影が行われるまで、上述の処理が繰り返される。
【０１６１】
一方、ステップＳ３７において、下カメラアップ撮影を３回繰り返し行ったと判定された場合、処理はステップＳ３８に進み、カメラ駆動制御部３１６は、カメラ９１を上方向に移動させるように、カメラ９１の駆動を制御する。これにより、カメラ９１は、上カメラの状態とされる。
【０１６２】
ステップＳ３９において、進行制御部３１１は、撮影方法のガイダンス画面をタッチパネルモニタ９３に表示させる。具体的には、利用者の顔または上半身を前方斜め上から撮影する上カメラアップ撮影を行う旨のガイダンス画面を表示する。ガイダンス画面を表示した後、撮影画像取得部３１４は、カメラ９１を制御し、画像の取り込みを開始させる。
【０１６３】
なお、上述したように、カメラ９１は、上カメラの状態では、ズームアウトするようにフォーカスが調整されるが、ここでは、デジタルズーム機能により、取り込み画像の倍率を電気的に変更することで、上カメラアップ撮影を行う。また、カメラ９１のフォーカスは、図６を参照して説明した機構により調整される以外に、撮影方法に応じてカメラ駆動制御部３１６により調整されるようにしてもよい。
【０１６４】
ステップＳ４０において、ライブビュー表示制御部３１３は、カメラ９１により取り込まれた動画像（ライブビュー画像）をタッチパネルモニタ９３に表示させる（ライブビュー表示を行う）。
【０１６５】
ステップＳ４１において、撮影画像取得部３１４は、タッチパネルモニタ９３にカウントダウンインジケータを表示し、撮影タイミングを利用者に通知する。
【０１６６】
撮影タイミングになったとき、ステップＳ４２において、撮影画像取得部３１４は、カメラ９１を制御して上カメラアップ撮影を行い、静止画像である撮影画像（上カメラアップ画像）を取得する。
【０１６７】
ステップＳ４３において、進行制御部３１１は、撮影画像をタッチパネルモニタ９３に表示し、撮影結果を利用者に確認させる。
【０１６８】
図２２は、上カメラアップ撮影時にタッチパネルモニタ９３に表示されるライブビュー表示画面の例を示している。図２２のライブビュー表示画面において、図示せぬカウントダウンインジケータで示される数字が０になったときに、ライブビュー表示領域４１１に表示されているライブビュー画像が上カメラアップ画像として得られる。なお、上カメラアップ撮影は１回のみ行われる。撮影結果表示領域４１２−１乃至４１２−３には、下カメラアップ画像が表示されているので、得られた上カメラアップ画像は、撮影結果表示領域４１２−４に表示されるようになる。
【０１６９】
図１８のフローチャートに戻り、ステップＳ４３の後、図１９のステップＳ４４において、進行制御部３１１は、撮影方法のガイダンス画面をタッチパネルモニタ９３に表示させる。具体的には、利用者の全身を前方斜め上から撮影する上カメラ全身撮影を行う旨のガイダンス画面を表示する。ガイダンス画面を表示した後、撮影画像取得部３１４は、カメラ９１を制御し、画像の取り込みを開始させる。
【０１７０】
図２３は、タッチパネルモニタ９３に表示される上カメラ全身撮影のガイダンス画面の例を示している。図２３のガイダンス画面には、全身撮影を行う旨の文言と、利用者をタッチパネルモニタ９３に表示される足型の印である足マークに合わせて立たせるよう促す文言が表示される。すなわち、タッチパネルモニタ９３（図２４）には、ライブビュー画像とともに、上カメラ全身撮影を行うのに最適な立ち位置を示す足マークが表示され、利用者がその足マークに合わせて立つことで、好適な上カメラ全身画像が得られるようになされている。
【０１７１】
そして、ステップＳ４５において、カメラ９１により取り込まれた動画像（ライブビュー画像）を表示させ、所定の撮影タイミングで上カメラ全身撮影を行う上カメラ全身撮影処理が実行される。なお、上カメラ全身撮影処理については、図２７のフローチャートを参照して後述する。
【０１７２】
図２４は、上カメラ全身撮影時にタッチパネルモニタ９３に表示されるライブビュー表示画面の例を示している。図２４のライブビュー表示画面において、図示せぬカウントダウンインジケータで示される数字が０になったときに、ライブビュー表示領域４１１に表示されているライブビュー画像が上カメラ全身画像として得られる。撮影結果表示領域４１２−１乃至４１２−３には、下カメラアップ画像が表示され、撮影結果表示領域４１２−４には、上カメラアップ画像が表示されているので、得られた上カメラ全身画像は、撮影結果表示領域４１２−５，４１２−６に表示されるようになる。
【０１７３】
なお、図２４に示されるタッチパネルモニタ９３においては、ライブビュー表示領域４１１の領域外（ライブビュー表示領域４１１の下）に足マークが表示されているが、ライブビュー表示領域４１１に表示されるライブビュー画像内に足マークを表示するようにしてもよい。また、足マークを、タッチパネルモニタ９３に表示するのではなく、床１０４（クロマキー用シート１２１Ｃ）の表面に予め記すようにし、利用者にその足マークの上に立たせるようにしてもよい。
【０１７４】
図１９のフローチャートに戻り、ステップＳ４５の後、ステップＳ４６において、進行制御部３１１は、撮影を所定回数繰り返し行ったか否かを判定する。ステップＳ４６において撮影を所定回数行っていないと判定された場合、処理はステップＳ４５の処理を繰り返し行う。具体的には、２回の上カメラ全身撮影が行われるまで、上述の処理が繰り返される。
【０１７５】
一方、ステップＳ４６において、上カメラ全身撮影を２回繰り返し行ったと判定された場合、ステップＳ４７において、進行制御部３１１は、撮影可能時間内か否かを判定し、経過時間または残り時間に基づいて、また撮影可能か否かを判定する。ステップＳ４７において、撮影可能であると判定された場合、追加的な撮影、いわゆる「ボーナス撮影」の処理が行われる。
【０１７６】
ステップＳ４８において、進行制御部３１１は、ボーナス撮影のガイダンス画面をタッチパネルモニタ９３に表示させる。ガイダンス画面を表示した後、撮影画像取得部３１４は、カメラ９１を制御し、画像の取り込みを開始させる。
【０１７７】
ステップＳ４９において、ライブビュー表示制御部３１３は、カメラ９１により取り込まれた動画像（ライブビュー画像）をタッチパネルモニタ９３に表示させる（ライブビュー表示を行う）。
【０１７８】
ステップＳ５０において、撮影画像取得部３１４は、タッチパネルモニタ９３にカウントダウンインジケータを表示し、撮影タイミングを利用者に通知する。
【０１７９】
撮影タイミングになったとき、ステップＳ５１において、撮影画像取得部３１４は、カメラ９１を制御してボーナス撮影を行い、静止画像である撮影画像（ボーナス撮影画像）を取得する。
【０１８０】
なお、ボーナス撮影処理においては、カメラ９１は上カメラの状態とされるので、上カメラアップ撮影または上カメラ全身撮影のいずれかが行われるものとする。また、ボーナス撮影を行わずに、２回の上カメラ全身撮影により得られる２枚の上カメラ全身画像のうちの１枚をボーナス撮影画像として扱うようにしてもよい。すなわち、３回の下カメラアップ撮影、１回の上カメラアップ撮影、１回の上カメラ全身撮影に加えて、確率の高いボーナス撮影として上カメラ全身撮影が行われるようにしてもよい。さらに、編集処理においては、得られた撮影画像（ボーナス撮影画像を含む）から編集対象画像が選択されるようになるが、この場合、得られた撮影画像の全て（例えば６枚）が編集対象画像とされるようにしてもよい。
【０１８１】
ステップＳ５２において、進行制御部３１１は、撮影画像をタッチパネルモニタ９３に表示し、撮影結果を利用者に確認させる。その後、処理は図２０のステップＳ５３に進む。
【０１８２】
一方、ステップＳ４７において、撮影可能でないと判定された場合、ステップＳ４７乃至Ｓ５２はスキップし、処理は図２０のステップＳ５３に進む。
【０１８３】
図２０のステップＳ５３において、撮影パラメータ設定部３１２は、撮影画像に写る利用者の目のサイズの選択に用いられる目サイズ選択画面を、タッチパネルモニタ９３に表示させる。
【０１８４】
図２５は、利用者自身が写されている撮影画像を使用して、被写体の目のサイズを選択するのに用いられる目サイズ選択画面の例を示す図である。
【０１８５】
目サイズ選択画面には、撮影の結果得られた撮影画像４４１が表示される。例えば、撮影を６回行ったときには、６枚の撮影画像が得られており、目サイズ選択画面では、６枚の撮影画像４４１−１乃至４４１−６が、画面の中央から左側に表示される。なお、目サイズ選択画面に表示される撮影画像４４１−１乃至４４１−６は、撮影されたままの画像である。
【０１８６】
目サイズ選択画面の右側には、３つの目サイズ選択ボタン４４２−１乃至４４２−３が上から順に表示される。目サイズ選択ボタン４４２−１には、目のサイズが自然な大きさのモデルの目の画像とが表示され、目サイズ選択ボタン４４２−２には、目のサイズが若干大きな（例えば、自然な大きさよりも１割程度大きな）モデルの目の画像とが表示されている。また、目サイズ選択ボタン４４２−２には、この大きさの目サイズを選択することが推奨されることを示唆する「おすすめ」の文字がハート形の図形とともに表示されている。
【０１８７】
目サイズ選択ボタン４４２−３には、目のサイズが比較的大きな（例えば、自然な大きさよりも２割程度大きな）モデルの目の画像とが表示されている。また、目サイズ選択画面の右下側には、目のサイズの選択を決定するときに操作される決定ボタン４４３が表示されている。
【０１８８】
すなわち、ステップＳ５４において、利用者が、目サイズ選択画面の目サイズ選択ボタン４４２−１乃至４４２−３のいずれかに対する操作（タッチ）を行って目のサイズの選択を受け付けると、撮影パラメータ設定部３１２は、タッチパネルモニタ９３から供給された情報に基づいて、目のサイズを選択する。
【０１８９】
ステップＳ５５において、撮影パラメータ設定部３１２は、利用者により選択されたサイズの目が写っている画像になるように、全ての撮影画像４４１−１乃至４４１−６に写る利用者の目のサイズを一括して変更する。
【０１９０】
ステップＳ５６において、撮影パラメータ設定部３１２は、目のサイズを変更した撮影画像４４１−１乃至４４１−６をタッチパネルモニタ９３に表示し、目のサイズの変更結果を利用者に確認させる。
【０１９１】
ステップＳ５７において、撮影パラメータ設定部３１２は、決定ボタン４４３が押されたか否かをタッチパネルモニタ９３から供給された情報に基づいて判定し、押されていないと判定した場合、ステップＳ５４に戻り、上述の処理を繰り返す。
【０１９２】
一方、ステップＳ５７において、決定ボタン４４３が押されたと判定された場合、ステップＳ５８において、撮影パラメータ設定部３１２は、目のサイズを決定し、決定した目のサイズを表す情報を記憶部２０２などに記憶させて保存する。
【０１９３】
ステップＳ５９において、撮影パラメータ設定部３１２は、撮影画像に写る被写体の明るさの選択に用いられる明るさ選択画面をタッチパネルモニタ９３に表示させる。
【０１９４】
図２６は、利用者自身が写されている撮影画像を使用して、被写体の明るさを選択するのに用いられる明るさ選択画面の例を示す図である。
【０１９５】
明るさ選択画面には、撮影の結果得られた撮影画像４７１が表示される。例えば、撮影を６回行ったときには、６枚の撮影画像が得られており、明るさ選択画面では、６枚の撮影画像４７１−１乃至４７１−６が、画面の中央から左側に表示される。
【０１９６】
明るさ選択画面の右側には、５つの明るさ選択ボタン４７２−１乃至４７２−５が上から順に表示される。明るさ選択ボタン４７２−１乃至４７２−５には、「１」から「５」までの数値がそれぞれ表示されているとともに、明るさの異なるモデルがそれぞれ表示されている。明るさ選択ボタン４７２−１乃至４７２−５の「１」から「５」までの数値は、明るさの程度を示しており、数値が大きくなるほど被写体が暗い色合いとなる。
【０１９７】
また、明るさ選択画面の右下側には、被写体の明るさを決定するときに操作される決定ボタン４７３が表示されている。
【０１９８】
すなわち、ステップＳ６０において、利用者が、明るさ選択画面の明るさ選択ボタン４７２−１乃至４７２−５のいずれかに対する操作（タッチ）を行って被写体の明るさを選択を受け付けると、撮影パラメータ設定部３１２は、タッチパネルモニタ９３から供給された情報に基づいて、明るさを選択する。
【０１９９】
ステップＳ６１において、撮影パラメータ設定部３１２は、利用者により選択された明るさの被写体になるように、全ての撮影画像４７１−１乃至４７１−６の被写体の明るさを一括して変更する。
【０２００】
ステップＳ６２において、撮影パラメータ設定部３１２は、被写体の明るさを変更した撮影画像４７１−１乃至４７１−６をタッチパネルモニタ９３に表示し、明るさの変更結果を利用者に確認させる。
【０２０１】
ステップＳ６３において、撮影パラメータ設定部３１２は、決定ボタン４７３が押されたか否かをタッチパネルモニタ９３から供給された情報に基づいて判定し、押されていないと判定した場合、ステップＳ６０に戻り、上述の処理を繰り返す。
【０２０２】
一方、ステップＳ６３において、決定ボタンが押されたと判定された場合、ステップＳ６３において、撮影パラメータ設定部３１２は、被写体の明るさを決定し、決定した明るさを表す情報を記憶部２０２などに記憶させて保存する。
【０２０３】
ステップＳ６３の処理が終了すると、撮影処理は終了され、処理は図１７のステップＳ２に戻る。なお、目サイズ選択処理および明るさ選択処理は、撮影処理においてではなく、編集空間において行われる編集処理において実行されるようにしてもよい。
【０２０４】
［上カメラ全身撮影処理１］
次に、図２７のフローチャートを参照して、図１９のステップＳ４５の上カメラ全身撮影処理の詳細について説明する。
【０２０５】
ステップＳ１１１において、クロマキー処理部３１７は、カメラ９１により取り込まれた動画像（ライブビュー画像）の背景領域を抜き出す。
【０２０６】
図２８は、カメラ９１により取り込まれたライブビュー画像の例を示している。図２８のライブビュー画像５０１においては、２人の被写体とともに、撮影空間Ａ１を構成する背景部２２の背面パネル５１、側面パネル５２Ｂ、および床１０４の表面に貼付されているクロマキー用シート１２１Ａ，１２１Ｂ，１２１Ｃが表示されている。
【０２０７】
ここで、クロマキー用シート１２１Ａ，１２１Ｂ，１２１Ｃがそれぞれ異なる材質で構成されているものとすると、ライブビュー画像５０１におけるクロマキー用シート１２１Ａ，１２１Ｂ，１２１Ｃの色（見え方）もそれぞれ異なる。
【０２０８】
そこで、クロマキー処理部３１７は、ライブビュー画像５０１の背景領域としての撮影空間Ａ１の背面、側面、および床面（すなわち、クロマキー用シート１２１Ａ，１２１Ｂ，１２１Ｃ）の３面それぞれの色を示す値の範囲（色範囲）を検出することで、背面、側面、および床面それぞれについてのクロマキーパラメータを設定する。
【０２０９】
具体的には、図２９に示されるライブビュー画像５０１（被写体は省略）において、クロマキー用シート１２１Ａで最も明るい領域RmaxAの色値と、最も暗い領域RminAの色値とに基づいて色範囲が検出されることで、クロマキー用シート１２１Ａのクロマキーパラメータが設定される。同様に、クロマキー用シート１２１Ｂで最も明るい領域RmaxBの色値と、最も暗い領域RminBの色値とに基づいて色範囲が検出されることで、クロマキー用シート１２１Ｂのクロマキーパラメータが設定され、クロマキー用シート１２１Ｃで最も明るい領域RmaxCの色値と、最も暗い領域RminCの色値とに基づいて色範囲が検出されることで、クロマキー用シート１２１Ｃのクロマキーパラメータが設定される。
【０２１０】
そして、クロマキー処理部３１７は、３面それぞれについてのクロマキーパラメータを用いて、ライブビュー画像５０１から背景領域（背面、側面、および床面）を抜き出す。
【０２１１】
ステップＳ１１２において、コーナーポイント検知部３１８は、カメラ９１により取り込まれたライブビュー画像の背景領域の色を示す値（色値）の境界に基づいて、コーナーポイントを検知する。
【０２１２】
上述したように、図２８において、ライブビュー画像５０１におけるクロマキー用シート１２１Ａ，１２１Ｂ，１２１Ｃの色はそれぞれ異なるので、コーナーポイント検知部３１８は、クロマキー用シート１２１Ａ，１２１Ｂ，１２１Ｃの３面それぞれの色範囲を検出し、それぞれの色値の境界を求めることで、撮影空間Ａ１の背面、側面、および床面の３面が交わるコーナーポイントCPを検知する。
【０２１３】
ステップＳ１１３において、進行制御部３１１は、コーナーポイント検知部３１８がコーナーポイントを検知したか否かを判定する。ステップＳ１１３において、コーナーポイントを検知していないと判定された場合、処理はステップＳ１１２に戻り、コーナーポイントが検知されるまで処理が繰り返される。なお、コーナーポイントを検知していないと判定された場合、タッチパネルモニタ９３に、エラーメッセージを表示させるようにしてもよい。また、このとき、色値の境界を求めるのに用いられる色範囲が変更（再検出）されるようにしてもよい。
【０２１４】
一方、ステップＳ１１３において、コーナーポイントが検知されたと判定された場合、処理はステップＳ１１４に進み、コーナー画像生成部３１９は、図３０に示されるような、撮影空間の背面、側面、および床面のうちの２面が交わる交線に似せたコーナーライン５２２Ａ，５２２Ｂ，５２２Ｃが描かれているコーナー画像５２１を生成する。コーナー画像５２１において、撮影空間の背面、側面、および床面に対応する各面の色は、例えばグレーに近い白色とされる。コーナー画像５２１は、部屋の一角を模した背景画像とされる。
【０２１５】
ステップＳ１１５において、ライブビュー表示制御部３１３は、カメラ９１により取り込まれたライブビュー画像をタッチパネルモニタ９３に表示させる（ライブビュー表示を行う）。ここでは、図２８に示されるような、２人の被写体とともに、クロマキー用シート１２１Ａ，１２１Ｂ，１２１Ｃが表示されるライブビュー画像が表示される。
【０２１６】
ステップＳ１１６において、撮影画像取得部３１４は、タッチパネルモニタ９３にカウントダウンインジケータを表示し、撮影タイミングを利用者に通知する。
【０２１７】
ここで、ステップＳ１１１乃至Ｓ１１４の処理と、ステップＳ１１５，Ｓ１１６の処理とは、並列に実行されてもよい。
【０２１８】
撮影タイミングになったとき、ステップＳ１１７において、撮影画像取得部３１４は、カメラ９１を制御して撮影を行い、そのタイミングで取り込まれ、背景領域が抜き出された静止画像である撮影画像（上カメラ全身画像）を取得する。
【０２１９】
ステップＳ１１８において、合成処理部３２０は、上カメラ全身画像においてコーナーポイント検知部３１８により検知されたコーナーポイントCPと、コーナー画像生成部３１９により生成されたコーナー画像５２１のコーナーライン５２２Ａ乃至５２２Ｃの交点とが一致するように、背景領域が抜き出された上カメラ全身画像にコーナー画像５２１を合成する。
【０２２０】
ステップＳ１１９において、進行制御部３１１は、撮影画像をタッチパネルモニタ９３に表示し、撮影結果を利用者に確認させる。
【０２２１】
以上の処理によれば、図３１に示される、被写体の頭からつま先までが写った上カメラ全身画像５４１を得ることができる。図３１の上カメラ全身画像５４１は、被写体の前方斜め上から撮影された、顔を強調した全身画像であり、背面、側面、および床の境界がはっきりと示されるようになるので、ブログにアップロードされるコーデ画像として好適な画像となる。このようにして、利用者にとってより満足度の高いコーデ画像を提供することが可能となる。
【０２２２】
さらに、撮影空間Ａ１において、床１０４には傾斜が設けられているので、より足が長く見えるコーデ画像を得ることができる。さらに、そのコーデ画像においては、床１０４の傾斜により、必要以上に顔が大きく見えることを避けることができるとともに、上目遣いをした顔となることを避けることができるので、より見栄えのよいコーデ画像が得られることとなる。
【０２２３】
なお、ステップＳ１１５において、ライブビュー画像として、背景領域（背面、側面、および床面）が抜き出されたライブビュー画像にコーナー画像を合成したものを表示するようにしてもよい。これにより、利用者は、実際に得られる上カメラ全身画像をイメージしながら撮影作業を行うことができる。
【０２２４】
また、背景領域が抜き出されたライブビュー画像にコーナー画像を合成する際、コーナーポイント検知部３１８により検知されたコーナーポイントではなく、予め設定されたコーナーポイントと、コーナー画像の線分の交点とが一致するように合成するようにしてもよい。これにより、背面、側面、および床面の３面がクロマキー処理により抜き出された撮影画像に対して、コーナー画像を容易に適正な位置に合成することができ、ブログにアップロードされるコーデ画像として好適な画像を得ることができる。
【０２２５】
さらに、コーナー画像において、コーナーラインは、実際の撮影空間の背面、側面、および床面のうちの２面が交わる交線に対応した位置や角度に対応して描かれる必要はなく、また、撮影空間の背面、側面、および床面に対応する各面の色は、上述した色（グレーに近い白色）に限られず、さらに、部屋の一角を模した装飾を施すようにしてもよい。
【０２２６】
また、複数の種類のコーナー画像を予め用意しておき、利用者に選択させるようにしてもよい。これにより、より利用者の嗜好に合ったコーデ画像を提供することができるようになる。
【０２２７】
［上カメラ全身撮影処理２］
次に、図３２のフローチャートを参照して、上カメラ全身撮影処理の他の例について説明する。
【０２２８】
なお、図３２のフローチャートのステップＳ２１５乃至Ｓ２１９の処理は、図２７のフローチャートのステップＳ１１５乃至Ｓ１１９の処理と基本的に同様であるので、その説明は省略する。
【０２２９】
ステップＳ２１１において、クロマキー処理部３１７は、カメラ９１により取り込まれた動画像（ライブビュー画像）の背景領域を抜き出す。
【０２３０】
具体的には、クロマキー処理部３１７は、ライブビュー画像の背景領域としての撮影空間Ａ１の背面、側面、および床面（すなわち、クロマキー用シート１２１Ａ，１２１Ｂ，１２１Ｃ）の３面全ての色範囲を検出することで、１つのクロマキーパラメータを設定する。
【０２３１】
すなわち、図３３に示されるライブビュー画像５０１（被写体は省略）において、クロマキー用シート１２１Ａ，１２１Ｂ，１２１Ｃで最も明るい領域Rmaxの色値と、最も暗い領域Rminの色値とに基づいて色範囲が検出されることで、クロマキー用シート１２１Ａ，１２１Ｂ，１２１Ｃのクロマキーパラメータが設定される。
【０２３２】
そして、クロマキー処理部３１７は、そのクロマキーパラメータを用いて、ライブビュー画像から背景領域（背面、側面、および床面）を抜き出す。
【０２３３】
ステップＳ２１２において、コーナーポイント検知部３１８は、カメラ９１により取り込まれたライブビュー画像の背景領域の色値と、所定の閾値とに基づいて、コーナーポイントを検知する。
【０２３４】
ここで、撮影空間において、背面、側面、および床面の３面が交わる交点（コーナーポイントに対応する部分）や、背面、側面、および床面のうちの２面が交わる交線（コーナーラインに対応する部分）の近傍は、照明装置としてのストロボからの光が届きにくく、影になりやすい。したがって、ライブビュー画像のクロマキー用シート１２１Ａ，１２１Ｂ，１２１Ｃにおいて、コーナーポイントに対応する部分や、コーナーラインに対応する部分の近傍の色は、暗い緑色となる。
【０２３５】
そこで、コーナーポイント検知部３１８は、ライブビュー画像において、クロマキー用シート１２１Ａ，１２１Ｂ，１２１Ｃの色値のうち、所定の色値の範囲（暗い緑色とされる色値の範囲）に含まれる色値に対応する部分（画素位置）を特定することで、撮影空間Ａ１の背面、側面、および床面の３面が交わるコーナーポイントCPを検知する。例えば、暗い緑色とされる色値の範囲に含まれる色値に対応する部分において、最も暗い緑色とされる色値の部分が、コーナーポイントCPとして検知される。
【０２３６】
また、暗い緑色とされる色値の範囲に含まれる色値に対応する部分において、コーナーラインに対応する部分を検知し、その部分を直線で近似することで、コーナーポイントCPを検知（設定）するようにしてもよい。
【０２３７】
なお、このとき、コーナーポイント検知部３１８がコーナーポイントCPを検知可能とするように（検知しやすいように）、照明制御部３１５が、撮影空間Ａ１内の各ストロボの発光を制御するようにしてもよい。例えば、背景領域の上側より下側を照射する光を弱くするように、照明制御部３１５は、下ストロボ８５や足元ストロボ８６の発光量を抑えたり、発光させないようにする等して、各ストロボの発光を制御することができる。
【０２３８】
ステップＳ２１３において、進行制御部３１１は、コーナーポイント検知部３１８がコーナーポイントを検知したか否かを判定する。ステップＳ２１３において、コーナーポイントを検知していないと判定された場合、処理はステップＳ２１２に戻り、コーナーポイントが検知されるまで処理が繰り返される。なお、ここでも、コーナーポイントを検知していないと判定された場合、タッチパネルモニタ９３に、エラーメッセージを表示させるようにしてもよい。また、このとき、コーナーポイントの検知に用いられる閾値（色値の範囲）が変更されるようにしてもよい。
【０２３９】
一方、ステップＳ２１３において、コーナーポイントが検知されたと判定された場合、処理はステップＳ２１４に進み、コーナー画像生成部３１９は、背景領域の色値を用いて、コーナー画像を生成する。具体的には、コーナー画像生成部３１９は、クロマキー用シート１２１Ａ，１２１Ｂ，１２１Ｃの色値のうち、例えば上述した暗い緑色とされる色値の範囲に含まれる色値に基づいて、コーナーラインの画素位置を決定し、その結果に応じたコーナーラインを含むコーナー画像を生成する。このとき、コーナー画像生成部３１９は、コーナー画像におけるコーナーラインの近傍の部分に対して、ライブビュー画像の対応する部分の色値に応じた影を施す処理を行う。これにより、実際の撮影空間に生じる影を再現した、リアルなコーナー画像を生成することができる。なお、影を施す処理として、コーナー画像におけるコーナーラインを中心としたぼかし処理を行うようにしてもよい。
【０２４０】
以上のように、図３２の上カメラ全身撮影処理においても、図２７の上カメラ全身撮影処理と同様の作用効果を奏することができる。
【０２４１】
さらに、得られる上カメラ全身画像には、リアルなコーナー画像が合成されるので、利用者にとってより一層満足度の高いコーデ画像を提供することが可能となる。
【０２４２】
なお、ステップＳ２１５においても、ライブビュー画像として、背景領域（背面、側面、および床面）が抜き出されたライブビュー画像にコーナー画像を合成したものを表示するようにしてもよい。これにより、利用者は、実際に得られる上カメラ全身画像をイメージしながら撮影作業を行うことができる。
【０２４３】
ところで、上述した上カメラ全身画像においては、その画像内の特定の位置にコーナーポイントがあることが望ましく、これにより、バランスのよい上カメラ全身画像が得られるようになる。
【０２４４】
しかしながら、カメラ９１の取り付け位置のずれや、撮影空間Ａ１を構成する撮影部２１および背景部２２の歪み等により、検知されるコーナーポイントが望ましい位置からずれてしまうことが考えられる。
【０２４５】
そこで、以下においては、検知されたコーナーポイントが望ましい位置からずれている場合に、そのコーナーポイントを調整する処理について説明する。
【０２４６】
［コーナーポイント調整処理］
図３４は、検知されたコーナーポイントが望ましい位置からずれている場合に、そのコーナーポイントを調整するコーナーポイント調整処理について説明するフローチャートである。図３４のコーナーポイント調整処理は、撮影処理において、上カメラ全身撮影処理が実行される前に実行されてもよいし、写真シール作成装置１の所定箇所に設けられるメンテナンスボタンが操作されることにより、写真シール作成装置１の動作モードがメンテナンスモードに移行したときに実行されるようにしてもよい。
【０２４７】
なお、図３４のコーナーポイント調整処理は、カメラ９１が上カメラの状態で実行される。
【０２４８】
また、図３４のフローチャートのステップＳ３１１乃至Ｓ３１３の処理は、図２７のフローチャートのステップＳ１１１乃至Ｓ１１３の処理、または、図３２のフローチャートのステップＳ２１１乃至Ｓ２１３の処理のいずれかが実行されればよく、ここでは、その説明は省略する。
【０２４９】
すなわち、ステップＳ３１４において、ライブビュー表示制御部３１３は、カメラ９１により取り込まれたライブビュー画像をタッチパネルモニタ９３に表示させる（ライブビュー表示を行う）。このとき、図３５に示されるように、ライブビュー画像６０１には、クロマキー用シート１２１Ａ，１２１Ｂ，１２１Ｃ、検知されたコーナーポイントCP、および、設定されるべきコーナーポイントの位置を示す設定ポイントCP0が表示される。
【０２５０】
ステップＳ３１５において、ライブビュー表示制御部３１３は、検知されたコーナーポイントCPが設定ポイントCP0から所定の距離以上ずれているか否かを判定する。
【０２５１】
ステップＳ３１５において、コーナーポイントCPが設定ポイントCP0からずれていると判定された場合、処理はステップＳ３１６に進み、ライブビュー表示制御部３１３は、ライブビュー画像６０１の移動を促す表示、例えば、「コーナーポイントを合わせてください」等のメッセージの表示を行う。このとき、利用者は、タッチパネルモニタ９３のライブビュー表示領域に表示されているライブビュー画像を指などでタッチ（ドラッグ）することにより、ライブビュー画像（コーナーポイントCP）を移動することができる。
【０２５２】
また、図３６に示されるように、ライブビュー画像６０１に操作ボタン６１１を表示し、利用者に操作させることによって、ライブビュー画像（コーナーポイントCP）を移動するようにしてもよい。
【０２５３】
一方、ステップＳ３１５において、コーナーポイントCPが設定ポイントCP0からずれていないと判定された場合、処理は終了する。
【０２５４】
以上の処理によれば、検知されたコーナーポイントが望ましい位置からずれている場合、そのコーナーポイントを調整することができる。
【０２５５】
なお、ステップＳ３１５において表示される設定ポイントCP0は、利用者（操作者）の操作によって所望の位置に設定されるようにしてもよい。
【０２５６】
以上においては、ライブビュー画像（撮影画像）の背景領域としての撮影空間Ａ１の背面、側面、および床面には、クロマキー用シート１２１Ａ，１２１Ｂ，１２１Ｃが貼付されるものとしたが、背面、側面、および床面のうちの２面が交わる交線近傍には、クロマキー用シート１２１Ａ，１２１Ｂ，１２１Ｃが貼付されないようにしてもよい。
【０２５７】
また、撮影空間Ａ１の背面、側面、および床面のうちの２面が交わる交線近傍に、クロマキー用シート１２１Ａ，１２１Ｂ，１２１Ｃが貼付されないようにした場合、クロマキー用シートが貼付されている部分と貼付されていない部分との境界も、クロマキー処理の対象とする。具体的には、背面パネル５１においてクロマキー用シート１２１Ａが貼付されている部分と貼付されていない部分との境界、側面パネル５２Ｂにおいてクロマキー用シート１２１Ｂが貼付されている部分と貼付されていない部分との境界、床１０４の表面においてクロマキー用シート１２１Ｃが貼付されている部分と貼付されていない部分との境界がそれぞれ含まれる色範囲で、クロマキー処理を実行するようにしてもよい。なお、撮影空間Ａ１の背面、側面、および床面においてクロマキー用シートが貼付されていない部分の色は、撮影画像に合成されるコーナー画像の各面の色（例えばグレーに近い白色）とされる。
【０２５８】
これにより、撮影画像からコーナーポイントやコーナーラインに対応する部分（実際のコーナー部分）が抜き出されずに残るので、撮影画像においては、よりリアルな背景が再現され、コーデ画像により好適な撮影画像を得ることができる。  
【０２５９】
また、上述した上カメラ全身撮影処理において、コーナーポイントを検知する処理は、ライブビュー画像に対して行われるようにしたが、上カメラ全身撮影処理開始時に、仮撮影を行うようにし、得られた仮撮影画像に対してコーナーポイントを検知するようにしてもよい。
【０２６０】
さらに、上カメラ全身撮影処理として、図２７のフローチャートを参照して説明した上カメラ全身撮影処理と、図３２を参照して説明した上カメラ全身撮影処理が選択的に行われるようにしてもよい。例えば、コーナー画像以外の背景画像を合成するようにして、合成されるその背景画像の配置が、実際の撮影空間の背面、側面、および床面の位置と合わない場合には、図２７の上カメラ全身撮影処理が実行され、合成されるその背景画像の配置が、実際の撮影空間の背面、側面、および床面の位置に合っている場合には、図２７の上カメラ全身撮影処理が実行されるようにする。
【０２６１】
また、上述した説明においては、コーナーポイントとして、撮影空間Ａ１において背景パネル５１、右側面の側面パネル５２Ｂ、および床１０４の３面が交わる交点を検知するようにしたが、背景パネル５１、左側面の側面パネル５２Ａ、および床１０４の３面が交わる交点を検知するようにしてもよい。
【０２６２】
ところで、ファッション雑誌に掲載されている写真は、部屋の一角を模したある程度の広さのある撮影スタジオにおいて撮影されたものが多く、その仕上がりは奥行き感のあるものとなる。
【０２６３】
一方、本発明の写真シール作成装置１の撮影空間Ａ１は、決して広さのある空間とは言えず、図３７に示されるように、カメラ９１を備える撮影・表示ユニット８１と被写体１１１との距離は、最も近づいた場合で700mm、最も離れた場合であっても1000mmである。通常、このように、カメラと被写体との距離が近い撮影空間で撮影された写真（撮影画像）においては、被写体と背景とに明暗をつけることが難しく、奥行き感のない仕上がりとなってしまう。
【０２６４】
そこで、本発明の写真シール作成装置１においては、上述したように、背景領域を抜き出した画像に、部屋の一角を模したコーナー画像を合成するようにしたので、得られる撮影画像の仕上がりを奥行き感のあるものとすることができる。さらに、図３２のフローチャートを参照して説明した処理においては、実際の撮影空間に生じる影を再現したコーナー画像を生成するようにしたので、得られる撮影画像において、より自然な奥行き感を再現することができるようになる。
【０２６５】
また、以上においては、コーナーポイントとして、撮影空間Ａ１の背面、側面、および床面の３面の交点を検知するようにしたが、撮影空間Ａ１の形状に応じて、３面以上の交点を検知するようにしてもよい。例えば、撮影空間Ａ１が、正八面体を構成する構造である場合には、正三角形の４面が交わる交点を、コーナーポイントとして検知するようにしてもよい。
【０２６６】
ところで、上述した一連の処理は、ハードウェアにより実行させることもできるし、ソフトウェアにより実行させることもできる。上述した一連の処理をソフトウェアにより実行させる場合には、そのソフトウェアを構成するプログラムが、ネットワークや記録媒体からインストールされる。
【０２６７】
この記録媒体は、例えば、図１４に示されるように、装置本体とは別に、写真シール作成装置１の管理者にプログラムを配信するために配布される、プログラムが記録されている磁気ディスク（フレキシブルディスクを含む）、光ディスク（CD-ROMおよびDVDを含む）、光磁気ディスク（MDを含む）、もしくは半導体メモリなどよりなるリムーバブルメディア２０５により構成されるだけでなく、装置本体に予め組み込まれた状態で管理者に配信される、プログラムが記録されているROM２０６や、記憶部２０２に含まれるハードディスクなどで構成される。
【０２６８】
なお、本明細書において、記録媒体に記録されるプログラムを記述するステップは、記載された順序に沿って時系列的に行われる処理はもちろん、必ずしも時系列的に処理されなくとも、並列的あるいは個別に実行される処理をも含むものである。
【符号の説明】
【０２６９】
１  写真シール作成装置
１１  撮影ユニット
２１  撮影部
２２  背景部
８１  撮影・表示ユニット
９１  カメラ
９２  カメラストロボ
９３  タッチパネルモニタ
１０４  床
２０１  制御部
２０８  撮影部
２０９  編集部
２１０  事後接客部
３０１  撮影処理部
３０２  編集処理部
３０３  印刷処理部
３０４  事後接客処理部
３１１  進行制御部
３１２  撮影パラメータ設定部
３１３  ライブビュー表示制御部
３１４  撮影画像取得部
３１５  照明制御部
３１６  カメラ駆動制御部
３１７  クロマキー処理部
３１８  コーナーポイント検知部
３１９  コーナー画像生成部
３２０  合成処理部
【要約】
【課題】利用者にとってより満足度の高い画像を提供する。
【解決手段】クロマキー処理部は、取り込み画像の背景領域として、撮影空間の背面、側面、および床面の３面を抜き出し、コーナーポイント検知部は、撮影空間の背面、側面、および床面の３面が交わる交点を検知する。コーナー画像生成部は、撮影空間における背面、側面、および床面のうちの２面が交わる交線を模した線分を含む背景画像を生成し、合成処理部は、コーナーポイント検知部により検知された交点と、コーナー画像生成部により生成された背景画像に含まれる交線とに基づいて、クロマキー処理部により背景領域が抜き出された取り込み画像に背景画像を合成する。本発明は、写真シール作成装置に適用することができる。
【選択図】図１６【図１】
0005120508.tif 000002
【図２】
0005120508.tif 000003
【図３】
0005120508.tif 000004
【図４】
0005120508.tif 000005
【図５】
0005120508.tif 000006
【図６】
0005120508.tif 000007
【図７】
0005120508.tif 000008
【図８】
0005120508.tif 000009
【図９】
0005120508.tif 000010
【図１０】
0005120508.tif 000011
【図１１】
0005120508.tif 000012
【図１２】
0005120508.tif 000013
【図１３】
0005120508.tif 000014
【図１４】
0005120508.tif 000015
【図１５】
0005120508.tif 000016
【図１６】
0005120508.tif 000017
【図１７】
0005120508.tif 000018
【図１８】
0005120508.tif 000019
【図１９】
0005120508.tif 000020
【図２０】
0005120508.tif 000021
【図２１】
0005120508.tif 000022
【図２２】
0005120508.tif 000023
【図２３】
0005120508.tif 000024
【図２４】
0005120508.tif 000025
【図２５】
0005120508.tif 000026
【図２６】
0005120508.tif 000027
【図２７】
0005120508.tif 000028
【図２８】
0005120508.tif 000029
【図２９】
0005120508.tif 000030
【図３０】
0005120508.tif 000031
【図３１】
0005120508.tif 000032
【図３２】
0005120508.tif 000033
【図３３】
0005120508.tif 000034
【図３４】
0005120508.tif 000035
【図３５】
0005120508.tif 000036
【図３６】
0005120508.tif 000037
【図３７】
0005120508.tif 000038